(57)【要約】【課題】本発明は、ニッケル水素蓄電池を用いる防水形の照明装置であっても、ニッケル水素蓄電池の異常時に不具合を生じることを防止する照明装置を提供する。【解決手段】  本実施例の誘導灯１００は、ニッケル水素蓄電池からなるバッテリ８が過充電等の異常状態となると、バッテリ８から水素が放出され防水ケース９内に水素が充満されるが、防水ケース９内で下側から上側への対流が生じるため、防止ケース９内に充満した水素が上方の通気フィルタ２０からより効率的に外部に放出される。  また、上方の通気フィルタ２０を防水ケース９の側面としたことで、水滴等の外部要因によって通気フィルタ２０の通気性が阻害されることがなく、誘導灯１００を比較的長い間使用しても通気フィルタ２０の通気性を人による清掃等の作業に期待することなく確保することが可能となる。【選択図】図４
2011070829.tif 000002
【特許請求の範囲】
【請求項１】
光源と；
ニッケル水素蓄電池と；
ニッケル水素蓄電池からの電源供給によって光源を点灯させる点灯ユニットと；
光源、ニッケル水素蓄電池及び点灯ユニットが設けられる器具本体と；
器具本体を収納し、器具本体を外部から区画するように設けられ、一面側が開口する箱状である防水ケースと；
防水ケースの開口部を閉塞する閉塞部材と；
防水ケースの上方側の側面に設けられ、通気性を有する通気フィルタと；
を具備することを特徴とする照明装置。
【請求項２】
通気フィルタは、防水ケースの下方側である底面にも設けられていることを特徴とする請求項１記載の照明装置。
【請求項３】
照明装置は、閉塞部材と防水ケースとの周囲に防水ケースの開口部と閉塞部材との境界を外部から視認できないように防水ケースの側面を覆う化粧枠を有し、
防水ケースの上方側の側面に設けられる通気フィルタは、化粧枠に覆われている防水ケースの側面であって、化粧枠と防水ケースの側面との隙間に設けられることを特徴とする請求項１又は２記載の照明装置。
【発明の詳細な説明】
【技術分野】
【０００１】
本発明は、ニッケル水素蓄電池を備える照明装置に関する。
【背景技術】
【０００２】
従来、照明装置である誘導灯は、常時に商用電源から光源へ電源が供給されることで光源が点灯し、さらに、常時は、商用電源からの電源が供給されることで蓄電池ユニットの充電が行われている。そして、商用電源からの電源が遮断された非常時には、蓄電池ユニットからの電源により光源が点灯するようになっている。そして、このような誘導灯装置において、有害物質を含まず環境への負荷が少ないことを目的として、蓄電池にニッケル水素を用いた誘導灯が知られている（例えば、特許文献１参照）。
【０００３】
また、誘導灯は、様々な使用環境で用いられるものであるが、例えば防水性を必要とする環境に使用される誘導灯である場合には、誘導灯の本体の外周を防水カバーで覆い外部から水滴等の進入を防止するものが知られている（例えば、特許文献２参照）。
【先行技術文献】
【特許文献】
【０００４】
【特許文献１】特開２００４−２３３８３３号公報
【特許文献２】特開２００３−３４６５１９号公報
【発明の概要】
【発明が解決しようとする課題】
【０００５】
そこで、環境への負荷を考慮すると、様々な誘導灯にニッケル水素蓄電池を用いることが好適であるが、上記の防水形の誘導灯にニッケル水素蓄電池を適用しようとすると不具合を生じる虞がある。これは、ニッケル水素蓄電池は、一般的に過充電等の異常状態となると内部の水素を外部に放出するように構成されているが、このようなニッケル水素蓄電池を防水形の誘導灯に適用すると、ニッケル水素蓄電池が異常状態となった場合に放出された水素が防水ケース内に放出されることになる。そして、防水ケースは防水機能を有するため、防水ケース内と外部との通気性は殆ど期待できる状態ではない。ゆえに、防水ケース内に放出された水素は、防水ケース内に充満する虞がある。このような状態となると、仮に静電気等の影響でケース内の水素に熱的要因が加えられると想定していない発火現象等が起きる可能性があった。
【０００６】
本発明は、上記に鑑みなされたものであり、ニッケル水素蓄電池を用いる防水形の照明装置であっても、ニッケル水素蓄電池の異常時に不具合を生じることを防止する照明装置を提供することを目的とする。
【課題を解決するための手段】
【０００７】
請求項１記載の防水装置は、光源と；ニッケル水素蓄電池と  ニッケル水素蓄電池からの電源供給によって光源を点灯させる点灯ユニットと；光源、ニッケル水素蓄電池及び点灯ユニットが設けられる器具本体と；器具本体を収納又は覆うように設けられ、一面側が開口する箱状である透光性の防水ケースと；防水ケースの開口部を閉塞する閉塞部材と；
【０００８】
防水ケースの上方側の側面に設けられ、通気性を有する通気フィルタと；を具備することを特徴とする。
【０００９】
本発明及び以下の発明において、特に指定しない限り用語の定義および技術的意味は次による。
【００１０】
光源は、点光源、線状光源および面光源等いかなる形態のものであってもよく、さらに加えると蛍光ランプ、ＬＥＤおよび有機ＥＬ等の如何なる発光作用を奏するものであってもよい。
【００１１】
閉塞部材は、防水ケースの防水性を確保するために設けられるものであるが、防水ケースの開口部に直接蓋をする形態や、特開２００３−３４６５１９号の実施例として記載されている壁直付形と称されるような器具本体を覆う箱状であって透光性の防水ケースが突出して配設される孔部を有するカバー部材であって、このカバー部材に防水ケースが配設されることで防水性を確保する状態となる形態も含むものである。要するに、閉塞部材は、防水カバーと組合わせることによって、防水カバーの内部に収納される器具本体又は防水カバーに覆われるように配設される器具本体が外部から区画されて防水性を確保できるように設けられるものであれば良いものである。
【００１２】
通気フィルタは、水滴等の流体や塵埃等の固体は通さないものであるが、少なくとも水素は流通するような特性を有するものである。
【００１３】
また、通気フィルタは、例えば、水素も流通するし外気も流通可能であれば、防水ケースの破損防止にも機能することになるので好適である。この点について補足すると、防水ケースを形成する場合に接着剤等を用いた張り合わせによって箱状の形状を形成した場合、照明装置として実際に使用していると点灯ユニットや光源からの発熱によって防水ケース内の温度が上昇したり、周囲温度の変化によって防水ケースの内側と外側とで温度差が生じる場合がある。すると、張り合わせによって形成されている防水ケースは、内側と外側との温度差による張り合わせ箇所の伸縮の違いによって、接着の強度が保てなくなり剥がれてしまう虞がある。したがって、通気フィルタが外気も流通可能であれば、張り合わせで形成される防水ケースであっても通常使用時に防水ケースの内側と外側とで通気が循環し対流が生じるので、内側と外側との温度差が生じ難く、張り合わせ箇所が剥がれてしまうことを防止することができる。
【００１４】
本発明の作用を説明する。本発明の照明装置は、防水ケースや閉塞部材によって器具本体が防水性を備えるものであるので、ニッケル水素蓄電池によって光源を点灯する照明装置に本発明のような防水性能を持たせると、ニッケル水素蓄電池が過充電等の異常時にニッケル水素蓄電池内から水素が放出された場合には、防水ケース内に水素が充満されることになる。そして、水素は非常に軽い特性を有するので大気中に放出されると上方側へ流通するため、防水ケース内でも上方側へ水素が集まることになる。そこで、まず防水ケースの上方側に通気フィルタを形成することによって、上方側へ流れてきた水素を防水ケースの外側に放出することが可能となる。
【００１５】
また、通気フィルタを防水ケースの上方の側面としたことで、水素の放出を阻害しない作用も備えるものである。これは、比較例として、仮に上方であってフィルタが上側を向くように上面側に配設して水素を放出するように形成することも考えられるが、上面を向くように通気フィルタを設けてしまうと水滴や塵埃が通気フィルタ上に溜まり通気性を阻害する虞がある。すると、仮に通気性を阻害している状態でニッケル水素蓄電池が異常状態となり、防水ケース内に水素が放出されたとしても通気フィルタから水素は外部に放出できない状態となるので、通気フィルタを設けたとしてもその機能や目的を充分に発揮し得ないことになる。特に照明装置は、一度設置されると清掃等は不定期に行なわれるものであるため、通気フィルタの通気性は人の作業によることなく確保し続けることが好適である。したがって、本発明では、通気フィルタを側面に設けるようにしたので、外部要因によって通気フィルタの通気性が阻害されることを抑制しているものであり、照明装置を比較的長い間使用しても通気フィルタの機能を人による清掃等の作業に期待することなく確保することが可能となる。
【００１６】
請求項２記載の照明装置は、請求項１記載の照明装において、通気フィルタは、防水ケースの下方側である底面にも設けられていることを特徴とする。
【００１７】
本発明によれば、まず下方にも通気フィルタを設けたことにより、防水ケース内において下方側から上方側への流通経路が形成されるので、防水ケース内に水素が放出された場合には、下方側からの通気フィルタの通気によって防水ケース内での水素がより効率的に上方側から通気フィルタから外部に放出されることになる。また、下方側の通気フィルタは防水ケースの底面に設けたので、通常使用時に通気性を阻害する外的要因は受け難いくくメンテナンスの手間を軽減できるとともに、外部から見難い箇所に設けられるので、意匠性を低下することがない。
【００１８】
請求項３記載の照明装置は、請求項１又は２記載の照明装置において、閉塞部材と防水ケースとの周囲に防水ケースの開口部と閉塞部材との境界を外部から視認できないように防水ケースの側面を覆う化粧枠を有し、防水ケースの上方側の側面に設けられる通気フィルタは、化粧枠に覆われている防水ケースの側面であって、化粧枠と防水ケースの側面との隙間に設けられることを特徴とする。
【００１９】
本発明によれば、上方側の側面に通気フィルタを設けても化粧枠によって外部から視認されないので、意匠性が低下することがない。また、通気フィルタの通気性は確保することができるし通気フィルタが外部に露出しないので、通気フィルタは、外部要因による通気性が阻害されず、かつ、破損することを防止することができる。
【発明の効果】
【００２０】
請求項１の発明によれば、防水ケースの上方側に通気フィルタを形成することによって、防水ケースの内部の上方側から水素を防水ケースの外側に放出することが可能となる。また、通気フィルタを防水ケースの上方の側面としたことで、外部要因によって通気フィルタの通気性が阻害されることを抑制しているので、防水ケース内に水素が放出されたとしても確実に外部に水素を放出することができる。
【００２１】
請求項２の発明によれば、下方にも通気フィルタを設けたことにより、防水ケース内に水素が放出された場合には、下方側からの通気フィルタの通気によって防水ケース内での水素がより効率的に上方側から通気フィルタから外部に放出されることになる。また、下方側の通気フィルタは防水ケースの底面に設けたので、通常使用時に通気性を阻害する外的要因は受け難いのでメンテナンスの手間を軽減できるとともに、外部から見難い箇所に設けられるので、意匠性が低下することがない。
【００２２】
請求項３の発明によれば、上方側の側面に通気フィルタを設けても化粧枠によって外部から視認されないので、意匠性が低下することがない。また、通気フィルタが外部に露出しないので、通気フィルタは、外部要因による通気性が阻害されず、かつ、破損することを防止することができる。
【図面の簡単な説明】
【００２３】
【図１】一実施形態の誘導灯本体を示す斜視図である。
【図２】同誘導灯本体の各部品を分離して示す斜視図である。
【図３】同表示ユニットを外して本体ユニットを示す正面図である。
【図４】一実施形態の誘導灯を示す説明図である。
【図５】第二実施形態の誘導灯を示す説明図である。
【発明を実施するための形態】
【００２４】
以下、本発明の実施形態に係る照明装置としての誘導灯について図を参照して説明する。各図において、同一又は相当部分には同一符号を付し、重複した説明は省略する。
【００２５】
図１及び図２において、誘導灯本体１は、天井面や垂直な壁面等の設置面に設置されて使用可能なように構成されている。そして、誘導灯本体１は、本体ユニット２と、この本体ユニット２に装着される表示ユニット３とから構成されている。また、本体ユニット２は、ケース本体４、光源ユニット５、端子台６、点灯装置７及び点灯装置ケース７３並びにバッテリ８を備えている。
【００２６】
まず、表示ユニット３は、略矩形枠状のユニットケース３１の内側に板状のアクリル樹脂製の導光板３２が配設されて構成されている。この導光板３２の表面側には、誘導表示として人が避難している状態を示すピクトグラムが表示された表示パネル３３が設けられており、ユニットケース３１は、本体ユニット２に対し、係脱手段３４によって着脱可能となっている。
【００２７】
図２及び図３に示すように、本体ユニット２は、正面背面方向の寸法、つまり、厚さ寸法が小さく、一側面を開口し、すなわち、正面側を開口部４１とした扁平な箱状のケース本体４を備え、このケース本体４の内側に光源ユニット５、端子台６、点灯装置７等の電気部品が配設されている。
【００２８】
光源ユニット５は、光源としてＬＥＤチップが用いられ、複数のＬＥＤチップが表面実装された基板と、この基板を保持する基板取付ホルダとを備えている。基板は、細長状に形成されており、ＬＥＤチップが実装された面を下方に向けた状態でケース本体４の上部に取付けられている。したがって、ＬＥＤチップから出射された光は、導光板３２の上端面、すなわち、入射面に入射するようになっている。
【００２９】
端子台６は、略四角形の箱状に形成されて背面部４２の取付孔４７の下側に位置して取付けられており、電源線導入口４６から導入される外部の電源線や内部の配線コード等の芯線が挿入されて電気的に接続される複数の自己鎖錠形の端子を有している。
【００３０】
点灯ユニットである点灯装置７は、点灯装置ケース７３に収納され、端子台６を介して電源線に接続され、その出力を光源ユニット５のＬＥＤチップに供給し、常用点灯としてＬＥＤチップを点灯制御するとともにバッテリ８を充電し、電源からの電力が遮断された場合には、バッテリ８の電力に切替えて非常点灯としてＬＥＤチップを点灯するようになっている。
【００３１】
バッテリ８は、ケース８１の内部にニッケル水素蓄電池からなる電池本体を収納して形成されているものである。そして図示しないが、ケース８１には過充電等によって電池本体が非常に高温となった場合に内部の水素がケース８１から放出されるように放出弁が形成されている。
【００３２】
次に、本実施形態では天井直付け形の誘導灯１００について説明する。図４の（ａ）は誘導灯１００の正面図、（ｂ）は同じく誘導灯１００の上面図、（ｃ）は同じく誘導灯１００の底面図、（ｄ）は同じく誘導灯１００の側面図である。
【００３３】
本実施例の誘導灯１００は、誘導灯本体１を防水ケース９に収納し、閉塞板である蓋体１０で防水ケース９の図示しない開口部を覆うことで形成されているものである。
【００３４】
防水ケース９は、全面が透光性を有するアクリル製であって、底面９２と対向する側である上方側は開口部が形成されており、取付ネジ１２で蓋体１０に固定される。また、防水ケース９の各壁面は、各々の端部が接着により貼り付けてられており、その箱状の外形を形成しているものである。そして、上方側の側面９１の二箇所に通気フィルタ２０、２０が２箇所に配設されている。この通気フィルタ２０は、微細気泡軟質発泡シートで形成されている。この気泡は非常に微細であることによって、透質、通気性を有するが、撥水性も備えるような性質である。つまり、通気フィルタ２０は、このように構成されていることで、通気性を有するが水滴等の流体物や塵埃等の固形物が通過できないようになっているものである。
【００３５】
また、上方側の側面９１の各通気フィルタ２０、２０は、化粧枠１１に覆われている。この化粧枠１１は、蓋体１０に一体又は別体で設けられるものであって、図４（Ｃ）に示すように防水ケース９の外面と化粧枠１１との間には隙間１４が形成されるように防水ケースの上方側の外周面を覆うように設けられるものである。これにより、蓋体１０と防水ケース９との接続構造、蓋体１０と化粧枠１１との接続構造又は蓋体１０の窓１５から誘導灯本体１へ引き込まれる電源線の接続構造等を外部から視認できないようにしているものである。
【００３６】
また、防水ケース９の底面９２には、図４（ｃ）に示すように二箇所に通気フィルタ２１、２１が配設されている。
【００３７】
本実施例の作用及び効果について説明する。本実施例の誘導灯１００は、防水ケース９や蓋体１０によって誘導灯本体１が防水性を備える。そして、仮にニッケル水素蓄電池からなるバッテリ８が過充電等の異常状態となると、バッテリ８から水素が放出され防水ケース９内に水素が充満される。そこで、まず防水ケース９の上方側に通気フィルタ２０、２０を形成することによって、非常に軽い特性を有する水素が集まった防水ケース９内上方側から防水ケース９の外側に放出することが可能となる。また、下方に設けた通気フィルタ２１、２１により、防水ケース９内において下方側から上方側への流通経路が形成される。したがって、防水ケース９内で下側から上側への対流が生じるため、防止ケース９内に充満した水素が上方の通気フィルタ２０からより効率的に外部に放出されることになる。
【００３８】
また、上方の通気フィルタ２０を防水ケース９の側面９１に配設したことで、水素の放出を阻害しない効果も備えるものである。これは、仮にフィルタ２０が上側を向くように蓋体１０の上面に配設するような構成でも水素を放出することができるが、上面を向くように通気フィルタ２０を設けてしまうと上方からの水滴や塵埃が通気フィルタ２０上に溜まり通気性を阻害してしまうことがある。すると、通気性を阻害している状態でニッケル水素蓄電池が異常状態となり、防水ケース９内に水素が放出されたとしても通気フィルタ２０から水素は外部に放出できない状態となるので、通気フィルタ２０を設けたとしてもその機能や目的を充分に発揮し得ないことになる。特に誘導灯１００は高所に配設されることもあり、一度設置されると清掃等は不定期に行なわれるものであるため、通気フィルタ２０の通気性は人の作業によることなく確保し続けることが好適である。したがって、本実施例では、通気フィルタ２０を側面９１に設けるようにしたので、外部要因によって通気フィルタ２０の通気性が阻害されることを抑制しているものであり、誘導灯１００を比較的長い間使用しても通気フィルタ２０の通気性を人による清掃等の作業に期待することなく確保することが可能となる。
【００３９】
また、本実施例によれば、下方側の通気フィルタ２１、２１は防水ケース９の底面９２に設けたので、通常使用時に通気性を阻害する外的要因は受け難くく、メンテナンスの手間を軽減できるとともに、外部から見難い箇所に設けられるので、意匠性を低下することがない。
【００４０】
また、本実施例によれば、上方側の側面９１に通気フィルタ２０，２０を設けても化粧枠によって外部から視認されないので、意匠性が低下することがない。また、通気フィルタ２０，２０の通気性は確保することができるし通気フィルタ２０、２０が外部に露出しないので、通気フィルタ２０，２０は、外部要因による通気性が阻害されず、かつ、破損することを防止することができる。
【００４１】
また、本実施例によれば、防水ケース９を形成する場合に接着剤等を用いた張り合わせによって箱状の形状を形成しているが、通気フィルタ２０、２１を設けることにより、張り合わせで形成される防水ケース９であっても通常使用時に防水ケース９の内側と外側とで空気の流通が生じるので、内側と外側との温度差が生じ難く、アクリル樹脂の膨張度合いの違いによる張り合わせ箇所の剥がれを防止することができる。
【００４２】
次に、第２実施形態について図５を用いて説明する。図５の（ａ）は誘導灯１１０の正面図、（ｂ）は同じく誘導灯１１０の上面図、（ｃ）は同じく誘導灯１１０の底面図、（ｄ）は同じく誘導灯１１０の側面図である。本実施例及び各図において、第１実施形態と同一又は相当部分には同一符号を付し、重複した説明は省略する。
【００４３】
本実施形態の誘導灯１１０は、防水形であって壁直付けタイプのものである。そして、防水ケース９Ａは、全面が透光性を有するアクリル製であって、誘導灯本体１の表示部と対向する正面側９Ｂである裏面側に開口部が設けられた箱状で形成されている。そして取付ネジ１２によって蓋体でもある化粧枠１１Ａに固定される。また、防水ケース９Ａの各壁面は、各々の端部が接着により貼り付けてられており、その箱状の外形を形成しているものである。そして、正面側９Ｂの両側面９Ｃ、９Ｃの上方側の各々１箇所に通気フィルタ２０が配設されている。この通気フィルタ２０は、化粧枠１１Ａで覆われているものであるが、防水ケース９の両側面９Ｃ、９Ｃと化粧枠１１Ａとの間には隙間１４Ａが形成されているため、通気フィルタ２０を介して防水ケース９Ａの内外の空気の流通は可能となっている。
【００４４】
本実施形態によれば、第一実施形態と同様の作用及び効果を有する。
【符号の説明】
【００４５】
光源であるＬＥＤユニット…５、ニッケル水素蓄電池であるバッテリ…８、点灯ユニットである点灯装置…７、器具本体であるケース本体…４、防水ケース…９、９Ａ、閉塞部材である蓋体…１０、通気フィルタ…２０、２１、照明装置である誘導灯…１００、１１０
【図１】
2011070829.tif 000003
【図２】
2011070829.tif 000004
【図３】
2011070829.tif 000005
【図４】
2011070829.tif 000006
【図５】
2011070829.tif 000007